(57)【特許請求の範囲】
【請求項１】
イオナイザー電極への微粒子の析出を熱泳動力により防止するために加熱されるイオナイザー電極において、
前記イオナイザー電極は、先端部と根元部とに分割され、
分割された前記先端部と前記根元部との間に、μＡオーダーの微小な交流の放電電流で発熱し前記先端部を加熱する抵抗体が介在し、前記先端部、前記根元部、および前記抵抗体が電気的に直列に接続されることを特徴とするイオナイザー電極。
【請求項２】
前記先端部に接触し、熱伝導性を有する絶縁部材を有し、
前記絶縁部材は、前記抵抗体の熱を、前記絶縁部材を通じて前記先端部に伝熱することを特徴とする請求項１記載のイオナイザー電極。
【請求項３】
前記抵抗体が、線状の抵抗体であり、
前記線状の抵抗体は、前記先端部の一部に巻回されるとともに、前記先端部と前記根元部とを電気的に直列に接続し、
前記先端部の前記線状の抵抗体が巻回される部分は、熱伝導性を有する絶縁膜により覆われていることを特徴とする請求項１又は２いずれか記載のイオナイザー電極。
【請求項４】
筒状の絶縁体により、前記先端部および前記根元部が連結され、内部に空間が設けられることを特徴とする請求項２又は３記載のイオナイザー電極。
【請求項５】
前記抵抗体が、線状の抵抗体であり、
前記線状の抵抗体は、前記熱伝導性を有する絶縁部材に巻回されるとともに、前記先端部と前記根元部とを電気的に直列に接続することを特徴とする請求項２に記載のイオナイザー電極。
【請求項６】
前記抵抗体が、膜状の抵抗体であり、
前記膜状の抵抗体は、前記熱伝導性を有する絶縁部材の周面を超えて、前記先端部の周面の一部および前記根元部の周面の一部を覆うように設けられ、
前記膜状の抵抗体が、前記根元部および前記先端部を電気的に直列に接続することを特徴とする請求項２に記載のイオナイザー電極。
【請求項７】
前記抵抗体が、棒状の抵抗体であり、
前記絶縁部材が、熱伝導性を有する筒状の絶縁体であり、
前記棒状の抵抗体は、前記絶縁体の中空に前記絶縁体の内壁と当接するように設けられ、
前記棒状の抵抗体が、前記根元部および前記先端部を電気的に直列に接続することを特徴とする請求項２に記載のイオナイザー電極。
【請求項８】
前記熱伝導性を有する絶縁部材、前記熱伝導性を有する絶縁膜又は前記熱伝導性を有する絶縁体が、炭化珪素、アルミナ、石英から選ばれた絶縁物からなることを特徴とする請求項２から７いずれか一項記載のイオナイザー電極。
【請求項９】
前記絶縁部材又は前記絶縁体が、断熱材を介して前記根元部に接続されていることを特徴とする請求項４から８いずれか一項記載のイオナイザー電極。
【請求項１０】
前記イオナイザー電極の前記抵抗体が設けられた部分が、断熱材で覆われていることを特徴とする請求項１から９いずれか一項記載のイオナイザー電極。
【発明の詳細な説明】
【技術分野】
【０００１】
本発明は、電極の放電によりクリーンルーム内の空気をイオン化させ、このイオンにより物体表面の静電気を中和させる、イオナイザー電極に関する。
【背景技術】
【０００２】
集積回路の製造工程においては、埃などの浮遊微粒子がウェハやガラス基板上に付着し、回路パターン作成時に回路の断線や短絡が発生する原因となっていた。このような浮遊微粒子を減少させるべく、クリーンルームが導入されているが、クリーンルーム内は低湿度に保たれているため静電気が発生しやすい。さらに、ウェハやガラス基板のハンドリングに絶縁体であるプラスチック等が多数使用されているため、さらに静電気が発生しやすくなる。
【０００３】
製造工程において静電気が発生すると、それにより帯電したウェハやガラス基板が、クリーンルーム内に僅かに残った微粒子を集めることによる、品質の劣化、静電気放電による回路の破壊、電磁波等の発生という不具合が生じる。このような静電気による障害を防ぐために、従来、クリーンルーム内の空気をイオン化し、それにより静電気を中和する方法が行われている。
【０００４】
空気をイオン化する方法としては、イオナイザーを用いる方法がある。これは、イオナイザー電極に高電圧を印加したときに生じるコロナ放電によってイオンを発生させ、このイオンによって静電気を中和させる方法である。しかし、このようなイオナイザーを長期間運転すると、イオナイザー電極にＳｉＯ２を主成分とする物質が析出し、この析出物が電極から飛散してクリーンルーム内を汚染してしまう。
【０００５】
そこで、このコロナ放電で空気をイオン化するイオナイザー電極において、イオナイザー電極の先端への析出物を減少させるために、イオナイザー電極端部に加熱装置を備えてイオナイザー電極を加熱することで発生する、熱泳動力により、イオナイザー電極への析出を防止していた（特許文献１）。
【先行技術文献】
【特許文献】
【０００６】
【特許文献１】特開平６−３２５８９４号公報
【発明の概要】
【発明が解決しようとする課題】
【０００７】
しかしながら、加熱装置を備えたイオナイザー電極を用いるには、コロナ放電発生用の高圧電源および電極加熱用の電源の２つが必要であった。従来の電極は、電極周面に抵抗体が巻かれることにより加熱されていたため、この抵抗体に電流を供給する電源が必要であったからである。さらに、２つの電源を用いることで、加熱用の電源に高電圧が印加されてその電気回路が破損してしまうこと、または電灯線に高電圧が流れることを防ぐため、加熱用の電源を絶縁トランスのような高電圧耐圧電源とする必要があった。
【０００８】
本発明は、上記のような問題点を解決するために提案されたものである。本発明の目的は、加熱用の電源を必要とせず、放電用の電源のみで電極を加熱する、独立加熱型のイオナイザー電極を提供することである。
【課題を解決するための手段】
【０００９】
本発明のイオナイザー電極は、次の構成を有することを特徴とする。
【００１０】
（１）熱泳動力によりイオナイザー電極への不純物の析出を防止するために加熱されるイオナイザー電極において、前記イオナイザー電極は、先端部と根元部とに分割され、分割された前記先端部と前記根元部との間に、μＡオーダーの微小な交流の放電電流で発熱し前記先端部を加熱する抵抗体が介在し、前記先端部、前記根元部、および前記抵抗体が電気的に直列に接続される。
【００１１】
（２）前記先端部に接触し、熱伝導性を有する絶縁部材を有し、前記絶縁部材は、前記抵抗体の熱を、前記絶縁部材を通じて前記先端部に伝熱していても良い。
【００１２】
（３）前記抵抗体が、線状の抵抗体であり、前記線状の抵抗体は、前記先端部の一部に巻回されるとともに、前記先端部と前記根元部とを直列に接続し、前記先端部の前記線状の抵抗体が巻回される部分は、高熱伝導性の絶縁膜により覆われていても良い。
【００１３】
（４）前記絶縁体が、筒状の部材であり、前記筒状の絶縁体により、前記先端部および前記根元部が連結され、内部に空間が設けられていても良い。
【００１４】
（５）前記抵抗体が、線状の抵抗体であり、前記線状の抵抗体は、前記熱伝導性を有する絶縁部材に巻回されるとともに、前記先端部と前記根元部とを電気的に直列に接続しても良い。
【００１５】
（６）前記抵抗体が、膜状の抵抗体であり、前記膜状の抵抗体は、前記熱伝導性を有する絶縁部材の側面を超えて、前記根元部の側面の一部および前記先端部の側面の一部を覆うように設けられ、前記膜状の抵抗体が、前記根元部および前記先端部を電気的に直列に接続しても良い。
【００１６】
（７）前記抵抗体が、棒状の抵抗体であり、前記絶縁部材が、熱伝導性を有する筒状の絶縁体であり、前記棒状の抵抗体は、前記絶縁体の中空に前記絶縁体の内壁と当接するように設けられ、前記棒状の抵抗体が、前記根元部および前記先端部を電気的に直列に接続しても良い。
【００１７】
（８）前記熱伝導性を有する絶縁部材、前記熱伝導性を有する絶縁膜又は前記熱伝導性を有する絶縁体が、炭化珪素、アルミナ、石英から選ばれた絶縁物からなるものでも良い。
【００１８】
（９）前記絶縁部材又は前記絶縁体が、断熱材を介して前記根元部に接続されていても良い。
【００１９】
（１０）前記イオナイザー電極の前記抵抗体が設けられた部分が、断熱材で覆われていても良い。
【発明の効果】
【００２０】
本発明によれば、放電用の電源の電流を使用して、放電するとともに電極を加熱できるため、加熱用の電源を必要とせず、電流が数μＡの放電用の電源のみで電極を加熱することが可能となる。さらに、電極自体が加熱機能を有するため、既存のイオナイザーの電極と交換するだけで、本発明と同様の効果を得ることができる。
【図面の簡単な説明】
【００２１】
【図１】本発明に係るイオナイザー電極の設置状況を表す模式図である。
【図２】本発明の第１の実施形態にかかるイオナイザー電極の断面図である。
【図３】本発明の第１の実施形態の変形例であるイオナイザー電極の断面図である。
【図４】本発明の第２の実施形態にかかるイオナイザー電極の断面図である。
【図５】本発明の第２の実施形態の変形例であるイオナイザー電極の断面図である。
【図６】本発明の第３の実施形態にかかるイオナイザー電極の断面図である。
【発明を実施するための形態】
【００２２】
以下、本発明に係るイオナイザー電極の実施形態について図面を参照しつつ詳細に説明する。図１は、本実施形態のイオナイザー電極の設置状況を示す図である。すなわち、クリーンルームの天井には、本体ケース１が設けられている。この本体ケース１内には、交流高圧電源２が内蔵されている。この交流高圧電源２は、イオナイザー用電源２ａを介して図示しない交流１００Ｖ電源に接続されている。
【００２３】
この本体ケース１には、複数のイオナイザー電極３が着脱可能に設けられている。イオナイザー電極３は円柱状であり、その先端が円錐形に加工されている。また、その根元は交流高圧電源２に接続されている。以下、このイオナイザー電極３の構成を説明する。
【００２４】
［第１の実施形態］
［１．構成］
第１の実施形態に係るイオナイザー電極の断面図を図２に示す。なお、図２に示すイオナイザー電極３の径と長さは、一例として概略寸法を記載したものである。本実施形態のイオナイザー電極３は、図２に示すように、先端側に位置する先端部４と根元側に位置する根元部５に分割され、この先端部４および根元部５の間に介在する抵抗体６と、先端部４および根元部５を連結して一体化する絶縁体７により構成されている。
【００２５】
すなわち、先端部４は先端に向かって円錐形に加工されているものであり、その円錐の根元側の上面中央には、円柱状の凸部８が形成されている。従って、円錐の根元側の上面としては、リング状の面が残る。さらにこの凸部８の根元側の上面には、凸部８よりも細い根元方向に向かって延びる円柱棒９が形成されている。先端部４の材質としては、トリウムタングステンがあげられる。
【００２６】
先端部４の円柱棒９は、その周面を絶縁膜１０により覆われている。絶縁膜１０としては、エポシキ、ポリアミド、ポリ塩化ビニル、ポリプロピレン等の樹脂を用いることができるが、石英等のガラスや、炭化珪素やアルミナ等のセラミックスを用いることがより好ましい。より熱伝導性のある物質を用いることで、効率良く電極を加熱するためである。なお、絶縁膜１０は、円柱棒９を覆うように設けても良い。
【００２７】
この絶縁膜１０で覆われた円柱棒９には、抵抗体６がコイル状に巻きつけられている。この抵抗体６は線状の部材であり、その先端側の端部は先端部４に接続され、根元側の端部は後述する根元部５に接続されている。先端部４への接続位置としては、例えば先端部４の凸部８の上面がある。抵抗体６としては、ニクロムやカンタル等の金属を用いることができる。なお、抵抗体６として、円柱棒９の周面に樹脂を塗布して抵抗膜を形成することもできる。
【００２８】
数μＡの電流で電極を加熱できるように、抵抗体６の断面積や巻回する長さを調整しておく。電極は、周囲温度（常温）より２０〜１００℃高く加熱されることが好ましい。
【００２９】
絶縁体７は、円筒状の部材であり、先端部４の凸部８、円柱棒９、および後述する根元部５の凸部１１の長さを足した長さよりも長くなるように加工されている。その外径は先端部４の円錐の根元側の上面の直径と同一である。また、絶縁体７の内径は、先端部４の凸部８の外径と略一致する。すなわち、絶縁体７を先端部４の凸部８にはめ込むことで固定できるように加工されている。
【００３０】
従って、先端部４は、先端部４のリング状面と凸部８の側面において絶縁体７と連結されて一体化される。このとき円柱棒９は凸部８よりも細く加工されているため、円柱棒９と絶縁体７との間には空間が生じることとなる。絶縁体７としては、石英等のガラスや、炭化珪素やアルミナ等のセラミックスを用いることができるが、エポシキ、ポリアミド、ポリ塩化ビニル、ポリプロピレン等の樹脂を用いることがより好ましい。より熱伝導率が低い物質を用いることで、放熱等を防止するためである。
【００３１】
根元部５は円柱状の部材であり、その外径は絶縁体７の外径と同一である。また、根元部５の先端側には、先端部の凸部８と同軸上で、先端部の凸部８と直径を同一とする円柱状の凸部１１が形成されている。従って、根元部５の先端側の面としては、リング状の面が残る。
【００３２】
また、根元部５の凸部１１の外径は、絶縁体７の内径と略一致する。すなわち、根元部５の凸部１１に絶縁体７を固定できるように加工されている。従って、根元部５は、根元部５のリング状面と凸部１１の側面において絶縁体７と連結されて一体化される。このとき、円柱棒９によって先端部４と根元部５が短絡することはない。根元部５の材質としては、トリウムタングステンがあげられる。
【００３３】
また、円柱棒９にコイル状に巻かれた抵抗体６の根元側の端部は、根元部５に接続される。接続位置としては、例えば根元部５の凸部１１の下面がある。このように接続することにより、先端部４と根元部５の間に抵抗体６が介在することとなり、先端部４、根元部５、および抵抗体６が電気的に直列に接続されることとなる。
【００３４】
［２．作用］
以上のような構成を有する本実施形態の作用を、電流の流れに沿って以下に説明する。図１に示すように、交流１００Ｖ電源からの電流は、イオナイザー電源２ａおよび交流高圧電源２を介して数μＡの交流高圧電流に変換され、イオナイザー電極３に流される。
【００３５】
図２に示すように、イオナイザー電極３に到達した電流は、根元部５を通り、抵抗体６を伝って先端部４へと流れる。ここで、絶縁体７に電流が伝うことは無いため、電流は必ず抵抗体６を通る事となる。また、絶縁膜１０により、抵抗体６の途中で電流が先端部４の円柱棒９に伝うこともない。このようにして根元部５および抵抗体６を直に伝って先端部４に流れた電流により、イオナイザー電極３の先端部４からコロナ放電が発生し、先端部４の先端の周囲の空気がイオン化される。このイオン化された空気Ａが帯電した物体Ｂにクリーンルームの下降整流Ｃ（０．３ｍ／ｓ）により供給されることによって、イオンと逆極性の帯電物体Ｂの上の静電荷Ｄが中和される。
【００３６】
また、コロナ放電用の電流はイオナイザー電極３を加熱するための電流ともなる。すなわち、根元部５に到達した電流は、必ず抵抗体６を通ることとなる。抵抗体６は、数μＡの電流でも抵抗体６を発熱させることができ、その熱は絶縁膜１０を伝って円柱棒９を加熱し、さらに凸部８を介して先端部４を加熱する。また、絶縁体７と円柱棒９との間に生じた空間がもたらす断熱作用により、抵抗体６の放熱が防止されている。
【００３７】
すると、先端部４の周囲には熱泳動力の作用が生じる。すなわち、温度勾配のある環境に微粒子が存在する場合には、粒子は低温側に向かう力を受け移動することとなる。従って、先端部４の周囲に生じた熱泳動力の作用によって、イオナイザー電極３の先端における微粒子の析出が軽減される。
【００３８】
［３．効果］
以上のような本実施形態の効果は以下の通りである。
（１）先端部４および根元部５を分割して、その間に抵抗体６を介在させることで、先端部４、根元部５、および抵抗体６を直列に接続しているため、コロナ放電用の電源を用いて抵抗体６を発熱させることができる。従って、電極加熱用の電源を設けずとも、放電用の電源で、放電および加熱が可能となるため、システムの煩雑化を防ぐことができる。
【００３９】
（２）外部の加熱機能を必要とせず、イオナイザー電極３自体が加熱機能を有している。この独立加熱型のイオナイザー電極３であれば、既存のイオナイザーの電極を、本実施形態のイオナイザー電極３に交換するだけで、電極加熱機能を有するイオナイザーとすることができる。
【００４０】
（３）昨今ではイオナイザー電極は４０本以上使用されることが多い。従来では電極を加熱するために４０Ａ以上の電流が必要だったが、本実施形態のイオナイザー電極３なら、電極１本あたり数μＡで放電も加熱も行うことができるため、実用性に富んでいる。
【００４１】
（４）また、電極を先端部４と根元部５とに分割して、これらを絶縁体７により連結しているため、電流は必ず抵抗体６を通ることとなる。従って、放電用の電流を効率よく発熱に用いることができる。
【００４２】
（５）抵抗体６は、その断面積や長さが調整されて巻回されているため、数μＡの放電用の電流を用いて、抵抗体６を発熱させることができる。
【００４３】
（６）先端部４の円柱棒９を絶縁膜１０で覆っているため、抵抗体６を通る電流が円柱棒９を伝って短絡することがない。すなわち、電流を先端部４に逃すこと無く抵抗体６に通させるため、電流を無駄なく発熱に供させることができる。また、熱伝導性を有する絶縁膜を採用することで、抵抗体６の発熱で効率良く先端部４を加熱することができる。
【００４４】
（７）先端部４の円柱棒９と絶縁体７との間に空間を設けているため、当該空間に熱を貯めることができ、熱を逃さず発熱を促すことができる。
【００４５】
［第１の実施形態の変形例］
［１．構成］
第１の実施形態の変形例であるイオナイザー電極の断面図を図３に示す。第１の実施形態の変形例は、先端部の変形にかかるものである。第１の実施形態と同じ部分については同一符号を付して説明は省略する。
【００４６】
第１の実施形態の変形例における先端部４は、先端に向かって円錐形に加工されているものであり、その円錐の根元側から続くように、上面の直径と同径である円柱棒９が形成されている。この円柱棒９の根元側の上面中央には、円柱状の凸部８が形成されている。
【００４７】
この先端部４の円柱棒９は、その周面を絶縁膜１０により覆われ、抵抗体６がコイル状に巻きつけられる。先端部４への接続位置としては、例えば円柱棒９の先端側の周面がある。また、根元部５への接続位置としては、例えば根元部５の根元側の周面がある。さらに、抵抗体６が巻かれた円柱棒９の周面は、断熱材１２により覆われる。断熱材１２としては、断熱用ガラスコーティング、フェノールフォームやポリスチレンフォーム等を用いることができる。なお、抵抗体６として、円柱棒９の周面に樹脂を塗布して抵抗膜を形成することもできる。
【００４８】
また、絶縁体７は、先端部４の凸部８と根元部５の凸部１１を足した長さよりも長く形成された円筒状の部材である。従って、絶縁体７、先端部４、および根元部５を連結すると、先端部４の凸部８と根元部５の凸部１１の間に空間が生じることとなり、先端部４と根元部５とが短絡することはない。
【００４９】
［２．作用・効果］
以上のような第１の実施形態の変形例によると、上述した第１の実施形態の作用および効果の（１）〜（６）に加えて、以下のような効果を得ることが可能となる。
【００５０】
（１）円柱棒９を第一の実施形態よりも太く構成することで、抵抗体６を長く巻くことが可能となるため、必要に応じた抵抗の調整を行いやすくなる。
【００５１】
（２）抵抗体６の周囲は断熱材１２で覆われているため、抵抗体６の発熱が放熱されることがない。従って、抵抗体６の発熱をより多く先端部４に伝えることができる。
【００５２】
［第２の実施形態］
［１．構成］
第２の実施形態のイオナイザー電極の断面図を図４に示す。第２の実施形態は、熱伝導性のある絶縁体を用いて電極の先端部を加熱するものである。第１の実施形態と同じ部分については同一符号を付して説明は省略する。
【００５３】
第２の実施形態における先端部４は、先端に向かって円錐形に加工されているものであり、円錐の根元側の上面中央には、円柱状の凸部８が形成される。従って、円錐の根元側の上面としては、リング状の面が残る。
【００５４】
絶縁体１３は、円柱状の部材であり、その外径は先端部４の円錐の根元側の上面の直径と同一である。また、絶縁体１３の先端側の下面には、先端部４の凸部８と同軸で、円柱状の凹部１４が形成されている。この凹部１４の直径は、先端部４の凸部８の外径と略一致する。すなわち、絶縁体１３を先端部４の凸部８にはめ込むことで固定できるように加工されている。従って、先端部４は、先端部４のリング状面と、凸部８の側面および上面において絶縁体１３と連結されて一体化される。
【００５５】
絶縁体１３としては、エポシキ、ポリアミド、ポリ塩化ビニル、ポリプロピレン等の樹脂を用いることができるが、石英等のガラスや、炭化珪素やアルミナ等のセラミックスを用いることがより好ましい。より熱伝導性のある物質を用いることで、効率良く電極を加熱するためである。
【００５６】
また、絶縁体１３の根元側の上面には、根元部５の凸部１１と同軸で、円柱状の凹部１５が形成されている。従って、絶縁体１３の根元側の上面は、リング状に形成されることとなる。
【００５７】
断熱材１６は、リング状の部材であり、その内径と外径は絶縁体１３の上面である、リング状面と一致する。この断熱材１６は、絶縁体１３の根元側の上面に設けられる。従って、絶縁体１３の凹部１５の深さは、断熱材１６の厚み分だけ延長されることとなる。断熱材１６としては、フェノールフォームやポリスチレンフォーム等を用いることができる。なお、断熱材１６は絶縁体１３の上面および凹部１５を覆うように設けても良い。
【００５８】
そして、断熱材１６の厚み分だけ延長された絶縁体１３の凸部１５の深さと、根元部５の凸部１１の長さは一致する。また、絶縁体１３の凹部１５の直径、および断熱材１６の内径は、根元部５の凸部１１の外径と略一致する。すなわち、絶縁体１３を根元部５の凸部１１に固定できるように加工されている。従って、絶縁体１３は、断熱材１６を介して根元部５と連結されて一体化されることとなる。
【００５９】
この絶縁体１３には、抵抗体６がコイル状に巻きつけられ、その端部は先端部４と根元部５に接続される。このように接続することにより、先端部４と根元部５の間に抵抗体６が介在することとなり、先端部４、根元部５、および抵抗体６が電気的に直列に接続されることとなる。さらに、線状の抵抗体６が巻かれた絶縁体１３の周面は、断熱材１２により覆われる。
【００６０】
［２．作用］
以上のような第２の実施形態特有の作用を以下に説明する。根元部５に到達した電流は、絶縁体１３を通ることはできないため、必ず抵抗体６を通ることとなる。数μＡの電流で発熱された抵抗体６は、絶縁体１３を加熱する。そして、絶縁体１３の熱が先端部４に伝わることで、先端部４は加熱される。
【００６１】
［３．効果］
以上のような第２の実施形態によると、第１の実施形態の効果の（１）〜（５）および第一の実施形態の変形例の効果の（１）および（２）に加えて、以下のような作用・効果を得ることが可能となる。
【００６２】
（１）先端部４に連結される絶縁体１３に熱伝導性を有する絶縁物を採用することで、抵抗体６の発熱により加熱されやすくなる。そして、加熱された絶縁体１３が先端部４に熱を伝えることで、効率良く先端部４を加熱することができる。また、抵抗体６を通る電流が先端部４に伝って短絡することがない。すなわち、電流を先端部４に逃すこと無く抵抗体６を通させるため、電流を無駄なく発熱に供させることができる。
【００６３】
（２）絶縁体１３と根元部５の間に断熱材１６を介在させることで、抵抗体６により加熱された絶縁体１３の熱が、根元部５に伝わるのを防ぐことができる。これにより、加熱された絶縁体１３の熱が、より多く先端部４の加熱に供されることとなる。
【００６４】
［第２の実施形態の変形例］
［１．構成］
第２の実施形態の変形例であるイオナイザー電極の断面図を図５に示す。第２の実施形態の変形例は、線状の抵抗体の変形にかかるものである。第２の実施形態と同じ部分については同一符号を付して説明は省略する。
【００６５】
第２の実施形態の変形例における抵抗体６は、イオナイザー電極３の周面に塗布される、樹脂からなる膜状の部材である。抵抗体６は、絶縁体１３の周面を超えて、先端部４の周面の一部および根元部５の周面の一部を覆うように設けられる。従って、先端部４と根元部５の間に、この抵抗体６が介在することとなり、先端部４、根元部５、および抵抗体６が電気的に直列に接続されることとなる。
【００６６】
抵抗体６としては、エポキシ、ポリアミド、ポリ塩化ビニル、ポリプロピレン、ポリエチレン等の樹脂に、導電性のカーボンや界面活性剤を練り混んで作成した樹脂を用いることができる。数μＡの放電用の電流を用いて発熱できるように、抵抗体６の抵抗率や体積を調整しておく。
【００６７】
［２．作用・効果］
以上のような第２の実施形態の変形例によると、第１の実施形態の効果の（１）〜（４）および第一の実施形態の変形例の効果の（２）、さらに第２の実施形態の効果の（１）および（２）に加えて、以下のような作用・効果を得ることが可能となる。
【００６８】
（１）抵抗体６はイオナイザー電極３の周面に樹脂を塗布することで形成されるため、数μＡの放電用の電流を用いて発熱できるように抵抗率や体積を調整しやすく、必要に応じた加熱効率を得やすくなる。また、電極の加工もより容易になる。
【００６９】
［第３の実施形態］
［１．構成］
第３の実施形態のイオナイザー電極の断面図を図６に示す。第３の実施形態は、棒状の抵抗体および熱伝導性のある絶縁体を用いて電極３の先端部４を加熱するものである。第１および２の実施形態と同じ部分については同一符号を付して説明は省略する。
【００７０】
第３の実施形態における抵抗体６は、円柱棒状の部材であり、その直径は先端部４の凸部８と一致する。すなわち、根元部５の凸部１１の直径とも一致することとなる。抵抗体６としては、エポキシ、ポリアミド、ポリ塩化ビニル、ポリプロピレン、ポリエチレン等の樹脂に、導電性のカーボンや界面活性剤を練り混んで作成した樹脂を用いることができる。数μＡの放電用の電流を用いて発熱できるように、抵抗体６の抵抗率や体積を調整しておく。
【００７１】
絶縁体１３は、円筒状の部材であり、先端部４の凸部８、抵抗体６、および根元部５の凸部１１の長さを足した長さと一致する。絶縁体１３の外径は先端部４の円錐の根元側の上面の直径と同一である。また、絶縁体１３の内径は、先端部４の凸部８の外径と略一致する。すなわち、絶縁体１３を先端部４の凸部８にはめ込むことで固定できるように加工されている。
【００７２】
また、絶縁体１３の内径は、抵抗体６の外径とも略一致する。すなわち、絶縁体１３の中空部分に棒状の抵抗体６を挿通できるように加工されている。
【００７３】
そして、先端部４は、先端部４のリング状面と凸部８の側面において絶縁体１３と連結されて一体化される。このとき抵抗体６の周面は、絶縁体１３と接することとなる。絶縁体１３としては、エポシキ、ポリアミド、ポリ塩化ビニル、ポリプロピレン等の樹脂を用いることができるが、石英等のガラスや、炭化珪素やアルミナ等のセラミックスを用いることがより好ましい。より熱伝導性のある物質を用いることで、効率良く電極を加熱するためである。
【００７４】
さらに根元部５が絶縁体１３と連結されて一体化されると、先端部４と根元部５の間に、抵抗体６が介在することとなり、先端部４、根元部５、および抵抗体６が電気的に直列に接続されることとなる。
【００７５】
［２．作用］
以上のような第３の実施形態特有の作用を以下に説明する。根元部５に到達した電流は、絶縁体１３を通ることはできないため、必ず抵抗体６を通ることとなる。数μＡの電流で発熱された抵抗体６は、その底面で先端部４を加熱するとともに、その側面で絶縁体１３を加熱する。すなわち、先端部４は抵抗体６により直接加熱されるとともに、加熱された絶縁体１３によっても加熱される。
【００７６】
［３．効果］
以上のような第３の実施形態によると、第１の実施形態の効果の（１）〜（４）および第２の実施形態の変形例の効果の（１）に加えて、以下のような作用・効果を得ることが可能となる。
【００７７】
（１）先端部４、根元部５、および絶縁体１３は連結するだけで接続される構成であるため、電極の加工が容易となる。
【００７８】
（２）抵抗体で直接加熱するとともに、抵抗体の周面における発熱を絶縁体を介して先端部に伝えることができるため、加熱効率を向上させることができる。
【００７９】
［その他の実施の形態］
本明細書においては、本発明に係る複数の実施形態を説明したが、これらの実施形態は例として提示したものである。イオナイザー電極３の各部材の形状および材質は適宜変更することができる。本実施形態は、発明の範囲を逸脱しない範囲で、種々の省略や置き換え、変更を行うことができ、様々な形態で実施されることが可能である。そして、それらの実施形態やその変形は、発明の範囲や要旨に含まれると同様に、特許請求の範囲に記載された発明とその均等の範囲に含まれるものである。
【符号の説明】
【００８０】
１  本体ケース
２  交流高圧電源
２ａ  イオナイザー用電源
３  イオナイザー電極
４  先端部
５  根元部
６  抵抗体
７、１３  絶縁体
８、１１  凸部
９  円柱棒
１０  絶縁膜
１２、１６  断熱材
１４、１５  凹部
【図１】
0006037426.tif 000002
【図２】
0006037426.tif 000003
【図３】
0006037426.tif 000004
【図４】
0006037426.tif 000005
【図５】
0006037426.tif 000006
【図６】
0006037426.tif 000007